(57)【要約】      （修正有）【課題】無風領域または微風領域を小さくし、遮断性能を向上したエアカーテンを提供する。【解決手段】エアカーテンは、壁面１に備えつけられる取付板２と、取付板２に取り付けられる背面パネル３と、背面パネル３に固定された外郭パネル４と、背面パネル３と外郭パネル４で囲われた内部に備えられる電動機５と、電動機５に取り付けられる貫流ファン６とを備えたエアカーテンであって、外郭パネル４の下面１０に吹出口１３を設け、外郭パネル４の上面９または前面１１に吸込口１２を設け、吹出口１３を構成する一部に気流ガイダー２１を設け、気流ガイダー２１は、吹出口１３から吹き出される空気の一部が電動機５の直下の空間に向かって偏向して流れるようにガイドすることを特徴とする。【選択図】図１
2017181012.tif 000002
【特許請求の範囲】
【請求項１】
エアカーテンにおいて、
外郭を形成する外郭パネルと、
前記外郭パネルの上面または前面に吸込口と、
前記外郭パネルの下面に吹出口と、
前記吸込口から前記吹出口に空気を導く電動機と、
前記電動機の回転軸方向に取り付けられる貫流ファンと、
前記吹出口から吹き出される空気の一部を前記電動機の直下の空間に向けてガイドする気流ガイダーと、を備えたことを特徴とするエアカーテン。
【請求項２】
前記貫流ファンは１つまたは複数の仕切り板を備え、
前記仕切り板と平行で前記仕切り板を通る板平面と前記気流ガイダーの上端との距離は０〜５ｍｍであることを特徴とする請求項１に記載のエアカーテン。
【請求項３】
前記貫流ファンは１つまたは複数の仕切り板を備え、
前記気流ガイダーは、
１つまたは複数の前記仕切り板のうち最も前記電動機に近い仕切り板を通り前記仕切り板と平行な第１板平面よりも前記電動機側に設けられ、
前記第１板平面を基準として前記電動機側とは反対側には設けられないことを特徴とする請求項１に記載のエアカーテン。
【請求項４】
前記気流ガイダーの上端と前記第１板平面との距離は０〜５ｍｍであることを特徴とする請求項３に記載のエアカーテン。
【請求項５】
前記気流ガイダーは、
前記回転軸に垂直な垂直面に対して角度θ（０°＜θ＜１０°）傾いている請求項１〜４の何れか１項に記載のエアカーテン。
【請求項６】
前記電動機は、前記外郭パネルの左側面と右側面との間における中心に設けられ、
前記気流ガイダーは、
前記中心を通る面であって前記回転軸に垂直な中心面に対して左右対称となるように少なくとも２つ設けられることを特徴とする請求項１項に記載のエアカーテン。
【請求項７】
前記吹出口から吹き出す気流の前後方向の角度を変更するルーバーを備え、
前記気流ガイダーは、
前記ルーバーの下流側に設けられることを特徴とする請求項１記載のエアカーテン。
【請求項８】
前記気流ガイダーは、前記ルーバーの回転軸とは逆側の端部と近接する窪みである凹部を備えることを特徴とする請求項７記載のエアカーテン。
【発明の詳細な説明】
【技術分野】
【０００１】
本発明は、エアカーテンに関する。
【背景技術】
【０００２】
エアカーテンは、カーテン状の気流により外気を遮断することで、室内の冷暖房した熱を逃げにくくしたり、外部からの埃の侵入を遮断したりするため、食料品店やレストランの出入り口等において使用される。また、エアカーテンでは、遮断効率を高める目的で幅広く均一なカーテン状の気流を送出する目的で、貫流ファンの方式を採用したものが広く普及している（例えば特許文献１参照）。
【先行技術文献】
【特許文献】
【０００３】
【特許文献１】特開２００１−１１６３１８号公報
【発明の概要】
【発明が解決しようとする課題】
【０００４】
このような従来のエアカーテンでは、カーテン状の気流を送風する目的で、電動機および貫流ファンを本体内に内蔵している。このため、電動機が配置された部分は風路にならず、電動機の直下において吹出気流の風速があまり無い無風領域または微風領域が存在する。この無風領域等を埃や熱などが通過することによって、エアカーテンの遮断性能が低下するという課題があった。
【０００５】
そこで、本発明は、無風領域等を小さくしてエアカーテンの遮断性能を向上することを目的とする。
【課題を解決するための手段】
【０００６】
そして、この目的を達成するために、本発明の一態様に係るエアカーテンは、外郭を形成する外郭パネルと、前記外郭パネルの上面または前面に吸込口と、前記外郭パネルの下面に吹出口と、前記吸込口から前記吹出口に空気を導く電動機と、前記電動機の回転軸方向に取り付けられる貫流ファンと、前記吹出口から吹き出される空気の一部を前記電動機の直下の空間に向けてガイドする気流ガイダーと、を備えたことを特徴としたものであり、これにより所期の目的を達成するものである。
【発明の効果】
【０００７】
本発明によれば、無風領域または微風領域を小さくし、遮断性能を向上したエアカーテンを提供できる。
【図面の簡単な説明】
【０００８】
【図１】本発明の実施の形態１のエアカーテンの側面断面の概略図
【図２】同エアカーテンの正面断面の概略図
【図３】同エアカーテンの気流ガイダー周辺の拡大図
【発明を実施するための形態】
【０００９】
以下、本発明の実施例について図面を参照しながら説明する。
【００１０】
（実施の形態１）
図１は本発明の実施の形態のエアカーテンの側面断面の概略図、図２は同エアカーテンの正面断面の概略図である。
【００１１】
図１に示すように、エアカーテンは壁面１に備えつけられた取付板２に、外郭パネル４を構成する背面パネル３を取り付けることで固定されている。ここで、取付板２と背面パネル３は引っ掛け爪（不図示）による嵌合構造で取り付けられ、一部を例えばネジによる締結として脱落を防止している。
【００１２】
背面パネル３は、外郭パネル４の一部であり、外郭パネル４で囲われた内部に、電動機５と貫流ファン６を備える。ここで、背面パネル３と当該背面パネル３を除いた外郭パネル４、つまり正面パネルとは、一部を例えばネジによる締結により固定されている。
【００１３】
貫流ファン６は、風路を構成するリアガイダー７とスタビライザー８との間に設けられている。貫流ファン６は、電動機５の回転軸方向に設けられる。言い換えると、電動機５の回転軸と貫流ファン６とは長さ方向に直列に接続される。このような接続では、エアカーテンの設置状態において、電動機５の下方に気流の死角が生じ、すなわちこの領域が微風領域または無風領域である。
【００１４】
外郭パネル４の上面９には吸込口１２が設けられ、下面１０には吹出口１３が設けられている。ここで、上面９とは前面１１よりも上側の面を言い、下面１０とは前面１１よりも下側の面を言う。なお、図面とは異なり、吸込口１２は外郭パネル４の前面１１に設けてもよい。
【００１５】
電動機５を運転すると、貫流ファン６が回転し、吸込口１２から吸込気流として空気が流入する。流入した空気は、リアガイダー７とスタビライザー８に沿って流れ、カーテン状の吹出気流１４となって、吹出口１３から送出される。
【００１６】
ここで、貫流ファン６の回転軸３１を通り、壁面１と平行な面を平行面１６とすると、吹出口１３の位置は、平行面１６よりも壁面１側に設けた方が、吹出気流１４を下方向２０に向けて送出できるため、遮断効果向上の観点から好ましい。
【００１７】
また、吸込口１２の位置は、平行面１６よりも前面１１側に設けた方が、ファン内部の気流の通過経路を長くすることができるため、ファン効率向上の観点から好ましい。
【００１８】
吹出口１３には、吹出気流１４の一部の方向をガイドするための、気流ガイダー２１を設けている。気流ガイダー２１は例えば板状のものである。
【００１９】
図２に示すように、吹出気流１４の一部は、気流ガイダー２１によりガイドされ、偏向気流２５となる。偏向気流２５は、電動機５の直下における無風領域或いは微風領域に向かって偏向された吹出気流１４の一部である。
【００２０】
このように、気流ガイダー２１を設けることで、電動機５の直下における無風領域或いは微風領域を減少させることができる。このため、無風領域等を埃や熱等が通過しにくくなり、エアカーテンの遮断性能を向上させることができる。
【００２１】
気流ガイダー２１の上流には、ルーバー２６が備えられている。
【００２２】
ルーバー２６は、吹出口１３からの吹出し気流の、前後方向すなわち壁面１方向か或いは前面１１方向の角度を変更する機能を有する。ルーバー２６は、板状で貫流ファン６の左右方向の幅に対応させて設けられている。ここで対応とは、ほぼ一致させることを意味する。ルーバー２６は、上下方向における上方の端部近傍に、回転軸２７を備えている。つまりルーバー２６は、回転軸２７を軸中心として所定の角度、エアカーテンの前後方向に回動可能である。ルーバー２６の回転軸２７とは逆側の端部、すなわち下方の端部は、気流ガイダー２１の凹部２８と近接している。
【００２３】
凹部２８は、気流ガイダー２１の上端面を基準として下方に窪む円弧状の空間を構成し、凹部２８自体は円弧状における円周の弧を構成する曲線を指す。円弧は、ルーバー２６が回動した場合においてルーバー２６の回転軸２７から下方の端部までの長さを半径として構成される。凹部２８は、ルーバー２６の下端と近接することで、ルーバー２６を介して下流に流れる吹出し気流に対して、与える圧損を抑制する効果を有する。また、気流ガイダー２１をルーバー２６の下部に設けることで、回動可能なルーバー２６の例えば前後方向の角度変更作業によって接続が外れた場合に、ルーバー２６の脱落を防止することができる。
【００２４】
図２および図３に示すように、貫流ファン６は、１つまたは複数の仕切り板２２を有していてもよい。
【００２５】
仕切り板２２は、貫流ファン６を構成する羽根の中の風路を仕切るための板である。仕切り板２２により、羽根の強度を向上できるだけでなく、羽根の中を流れる風の乱れを抑制できる。
【００２６】
仕切り板２２と平行な平面であって、仕切り板２２を通る平面を板平面２３とする。ここで、実施の形態では、板平面２３は仕切り板２２の電動機５側の側面を通る平面としている。
【００２７】
電動機５の直下ほどではないが、仕切り板２２の直下においても無風領域あるいは微風領域が存在する。すなわち、板平面２３の近傍では周囲よりも風速が弱い領域となっている。この板平面２３の近傍領域に気流ガイダー２１の上端を近づけることで、圧力損失の増加を抑えて、よりスムーズに吹出気流１４の一部を偏向気流２５として偏向できる。
【００２８】
より具体的には、気流ガイダー２１の上端と板平面２３との距離４１は０〜５ｍｍであることが好ましい。この距離４１が５ｍｍを超えても良いが、５ｍｍを超えると風速がより強い領域へ気流ガイダー２１の上端が配置されることになるので、圧力損失の増加を抑えるという意味では、その距離４１は５ｍｍ以下が好ましい。なお、この場合、気流ガイダー２１の上端は、板平面２３に対して、電動機５側にあっても良いし、電動機５の反対側にあってもよい。
【００２９】
板平面２３の個数は、基本的に仕切り板２２の個数と同じになるため、仕切り板２２が１つであれば板平面２３も１つとなり、仕切り板２２が複数であれば板平面２３も複数となる。
【００３０】
１つまたは複数の板平面２３の内、最も電動機５に近い板平面２３を第１板平面２４とする。
【００３１】
気流ガイダー２１は、第１板平面２４よりも電動機５側に設けられることが好ましい。この構成によれば、他の板平面２３の近傍に設けられるよりも、効率良く偏向気流２５を発生させることができる。
【００３２】
この場合、特に、気流ガイダー２１は、第１板平面２４よりも電動機５の反対側には設けられないことが好ましい。この構成によれば、気流ガイダー２１が他の板平面２３の近傍にも設けられる場合と比較して、圧力損失の増加をさらに抑えつつ、効率良く偏向気流２５を発生させることができる。
【００３３】
なお、気流ガイダー２１は、第１板平面２４よりも電動機５の反対側に設けてもよい。
【００３４】
また、気流ガイダー２１は、電動機５の回転軸３１に垂直な垂直面３３に対して角度θ（０°＜θ＜１０°）傾いていることが好ましい。角度θは１０°を超えても良いが、１０°を超えると吹出気流１４の一部を偏向気流２５にするための圧力損失が大きくなるため、圧力損失の増加を抑えるという意味では、角度θは０°より大きく１０°より小さいことが好ましい。
【００３５】
図２に示すように、電動機５は、外郭パネル４の左側面１８と右側面１９との間における中心に設けられていてもよい。そして、この中心を通る面であって、電動機５の回転軸３１に垂直な面を中心面３２とすると、気流ガイダー２１は中心面３２に対して左右対称となるように少なくとも２つ設けられることが好ましい。
【００３６】
この構成によれば、吹出気流１４の圧力損失の増加を抑えつつ、電動機５の直下における無風領域等を効果的に減少できる。このため、エアカーテンの遮断性能をさらに向上できる。
【００３７】
以下、実施の形態について補足する。
【００３８】
本発明の一態様に係るエアカーテンは、外郭を形成する外郭パネル４と、前記外郭パネル４の上面または前面に吸込口１２と、前記外郭パネルの下面に吹出口１３と、前記吸込口から前記吹出口に空気を導く電動機５と、前記電動機の回転軸方向に取り付けられる貫流ファン６と、前記吹出口１３から吹き出される空気の一部を前記電動機５の直下の空間に向けてガイドする気流ガイダー２１とを備えたことを特徴とするものである。
【００３９】
この構成によれば、吹出口１３を構成する一部に気流ガイダー２１を設けたことにより、吹出気流１４の一部が、偏向気流２５として電動機５の配置によって生じた無風領域または微風領域に向けて偏向し、電動機５の直下における無風領域等を減少できる。このため、エアカーテンの遮断性能を向上できる。
【００４０】
また、前記貫流ファン６は１つまたは複数の仕切り板２２を有し、前記仕切り板２２と平行な平面であって、前記仕切り板２２を通る平面を板平面２３とし、前記気流ガイダー２１の上端と前記板平面２３との距離４１は０〜５ｍｍであることが好ましい。
【００４１】
この構成によれば、吹出気流１４の圧力損失の増加を抑えつつ、電動機５の直下における無風領域等を減少できる。このため、エアカーテンの遮断性能をさらに向上できる。
【００４２】
また、前記貫流ファン６は１つまたは複数の仕切り板２２を有し、前記仕切り板２２と平行な平面であって、１つまたは複数の前記仕切り板２２の内、最も前記電動機５に近い仕切り板２２を通る平面を第１板平面２４とし、前記気流ガイダー２１は、前記第１板平面２４よりも前記電動機５側に設けられており、前記第１板平面２４よりも前記電動機５の反対側には設けられないことが好ましい。
【００４３】
この構成によれば、吹出気流１４の圧力損失の増加を抑えつつ、電動機５の直下における無風領域等を効果的に減少できる。このため、エアカーテンの遮断性能をさらに向上できる。
【００４４】
また、前記気流ガイダー２１の上端と前記第１板平面２４との距離４１は０〜５ｍｍであることが好ましい。
【００４５】
この構成によれば、吹出気流１４の圧力損失の増加を抑えつつ、電動機５の直下における無風領域等を減少できる。このため、エアカーテンの遮断性能をさらに向上できる。
【００４６】
また、前記気流ガイダー２１は、前記電動機５の回転軸３１に垂直な垂直面３３に対して角度θ（０°＜θ＜１０°）傾いていることが好ましい。
【００４７】
この構成によれば、吹出気流１４の圧力損失の増加を抑えつつ、電動機５の直下における無風領域等を減少できる。このため、エアカーテンの遮断性能をさらに向上できる。
【００４８】
また、前記電動機５は、前記外郭パネル４の左側面１８と右側面１９との間における中心に設けられ、前記中心を通る面であって、前記電動機５の回転軸３１に垂直な面を中心面３２とし、前記気流ガイダー２１は前記中心面３２に対して左右対称となるように少なくとも２つ設けられることが好ましい。
【００４９】
この構成によれば、吹出気流１４の圧力損失の増加を抑えつつ、電動機５の直下における無風領域等を効果的に減少できる。このため、エアカーテンの遮断性能をさらに向上できる。
【００５０】
また、吹出口１３から吹き出す気流の前後方向の角度を変更するルーバー２６を備え、前記気流ガイダー２１は、前記ルーバー２６の下流側に設けられることが好ましい。
【００５１】
この構成によれば、ルーバー２６の接続が外れた場合であっても気流ガイダー２１が脱落を防止することができる。
【００５２】
また、前記気流ガイダー２１は、前記ルーバー２６の回転軸２７とは逆側の端部と近接する窪みである凹部２８を備えることが好ましい。
【００５３】
この構成によれば、凹部２８は、ルーバー２６の下端と近接することで、ルーバー２６を介して下流に流れる吹出し気流に対して、与える圧損を抑制する効果を有する。
【産業上の利用可能性】
【００５４】
本発明のエアカーテンは建物入り口の外気の遮断目的以外に、貫流ファンを内蔵した送風機器への転用により、室内空気を攪拌させるサーキュレーターとしての用途などにも適用できる。
【符号の説明】
【００５５】
１    壁面
２    取付板
３    背面パネル
４    外郭パネル
５    電動機
６    貫流ファン
７    リアガイダー
８    スタビライザー
９    上面
１０    下面
１１    前面
１２    吸込口
１３    吹出口
１４    吹出気流
１８    左側面
１９    右側面
２０    下方向
２１    気流ガイダー
２２    仕切り板
２３    板平面
２４    第１板平面
２５    偏向気流
２６    ルーバー
２７    回転軸（ルーバー）
２８    凹部
３１    回転軸
３２    中心面
３３    垂直面
４１    距離
θ    角度
【図１】
2017181012.tif 000003
【図２】
2017181012.tif 000004
【図３】
2017181012.tif 000005